(57)【要約】 【課題】光センサーの作用により透視部の液晶パネルを調光すると共に、所定の図柄パターンを表示させるようにしたファッショナブルで面白味のある電子サングラスを提供すること。【解決手段】透視部は光センサーにより明るさを感知して自動的に調光を行うことが出来る液晶パネル基板より構成され、該液晶パネル基板は透過光を自動制御して調光させて、且つ所定の図柄パターンを表示できるようにした電子サングラス。【選択図】図３
2009237212.tif 000002
【特許請求の範囲】
【請求項１】
透視部は光センサーにより明るさを感知して自動的に調光を行うことが出来る液晶パネル基板より構成され、該液晶パネル基板は透過光を自動制御して調光させて、且つ所定の図柄パターンを表示できるようにした電子サングラス。
【請求項２】
透過光の制御をスイッチにより切り換えるようにした請求項１記載の電子サングラス。
【請求項３】
図柄パターンの種類を任意に選択しうるようにした請求項１記載の電子サングラス。
【請求項４】
通常の眼鏡に着脱できる請求項１記載の電子サングラス。
【発明の詳細な説明】
【技術分野】
【０００１】
本発明は、光センサー及び透視部に液晶パネルを具備した電子サングラスに関する。さらに詳しくは、透視部に液晶パネルを備え光センサーにより明るさを感知して透視部の透過光を自動的に制御して調光させると共に、透視部の液晶パネルには所定の図柄パターンが表示されるようにしたファッショナブルで且つ面白感覚のある電子サングラスに関する。
【背景技術】
【０００２】
従来、液晶パネルを利用した電子サングラスとして種々のものが提案されている。例えば、電源として太陽電池を利用し透過率が高から低へ変化する照度が透過率が低から高へ変化する照度より高照度である透過率可変な電子サングラスが特許文献１に提案名されている。
また透視部を透過型液晶表示部材により形成し、外光量に応じて透過型液晶表示部材の透光量を前面において調整するようにした電子サングラスが特許文献２に開示されている。
これら従来提案されている電子サングラスは、いずれも光センサーと液晶パネル(透視部)とからなり、光センサーにより周囲の明るさを感知し液晶パネルの透視部の前面における透過光を自動的に制御するというものである。そのため従来の電子サングラスは周囲の明るさに対応して自動的に調光する機能を有しているが、透視部の前面が一様に透過光が制御されるに過ぎず、ファッション性や面白みを有するものとは言い難いものであった。
【特許文献１】特開平６−２７４２５号公報
【特許文献２】特開平８−１３６８８３号公報
【発明の開示】
【発明が解決しようとする課題】
【０００３】
本発明者は、光センサーの作用により透視部の液晶パネルを調光させると共に所定の図柄パターンが表示させるようにすることによってファッショナブルで且つ面白みのある電子サングラスが提供されることを見出した。さらに透視部の液晶パネルは所定の図柄パターンの種類を選択できるようにしたり、またその図柄の表示を任意にオンとオフに切り換え機能とすることによって、場所や雰囲気に対応して利用範囲が広い電子サングラスを提供されることを見出した。
【課題を解決するための手段】
【０００４】
かくして本発明によれば、下記電子サングラスが提供される。
（１）  
透視部は光センサーにより明るさを感知して自動的に調光を行うことができる液晶パネル基板より構成され、該液晶パネル基板は透過光を自動制御して調光させて且つ、所定の図柄パターンを表示できるようにした電子サングラス。
（２）  
透過光の制御をスイッチにより切り換えるようにした、前記（１）記載の電子サングラス。
（３）  
図柄パターンの種類を任意に選択しうるようにした前記（１）記載の電子サングラス。
（４）  
通常の眼鏡に着脱できる前記（１）記載の電子サングラス。
【発明の効果】
【０００５】
本発明の電子サングラスは、光センサーによって周囲の明るさに応じて透視部の液晶パネルの調光が自動的に制御されると共に透視部の液晶パネルに図柄パターンが表示される。従ってその図柄パターンの模様を表示でき、その模様も種々切り換えることができるので電子サングラスの装着者はファッション性を強調できると共に周囲の者へ面白みを訴えることができ楽しみを増大させることができる。
【発明を実施するための最良の形態】
【０００６】
以下、本発明の電子サングラスについてさらに具体的に説明する。
本発明の電子サングラスにおいて透視部は液晶パネル基板より構成され、この液晶パネルは透明であり図柄パターンを形成できるものである。この図柄パターンは液晶パネルにＩＴＯ電極をフォトリソ法を用いて加工し、光の明るさの変化に応じて調光し図柄（模様）を表示できるようにしたものである。すなわち周囲の明るさの変化によって液晶パネル面に透過光の割合が部分的に図柄を表示しうるように局所的に制御させ得るようにフォトリソ法を用いて加工すればよい。
【０００７】
次に、本発明の電子サングラスの透視部に使用される液晶パネルの断面構造を図面により説明する。図１および図２は、いずれも本発明の電子サングラスにおける液晶パネルの断面（表面に対する直角断面）構造を示す模式図である。図１の液晶パネルは最も簡単な基本構造を示し、液晶１を基板を兼ねた２つの偏光板２で狭持した構造である。液晶１の両端は、シール材３により封止されている。図１の偏光板２の最外面は図示されているが、さらに紫外線防止膜やハードコート膜の如き保護膜が積層されていてもよい。
図２の液晶パネルは液晶１が２枚の透明基板４の間に狭持された構造であり、液晶１はその両端がシール材３により封止されている。図２の液晶パネルにおける透明基板４は通常液晶パネルの基板として使用される素材であればよく、ガラス基板、ポリカーボネート基板、ポリアクリル基板またはポリシクロオレフィン基板などが使用される。特に電子サングラスに適したガラス基板またはポリカーボネート基板が好ましい。図２には２つの透明基板４の外側表面には粘着層５を介して偏光板２が積層され、さらにその偏光板２の外側の表面には粘着層５を介して保護膜６が積層されている。ここで保護膜６は紫外線防止膜、酸化防止膜、ハードコート膜または防曇膜などであることができる。
【０００８】
図２の液晶パネルの断面構造は液晶１を中心にして上下対象の形をしているが、必ずしもその必要はなく、例えば２つの透明基板４は種類や厚みが異なっていてもよく、２つの保護膜６はその機能や種類が異なっていてもよく、また一方の保護膜は存在しなくてもよい。さらに保護膜６は少なくとも２つの機能を有する膜が積層された多層膜であってもよい。
本発明の電子サングラスの外観を図３により説明する。図３は本発明の電子サングラスの一例の斜視図を示す。電子サングラス１０は基本的には前面の全面支持体１１に透視部である液晶パネル１２が装着され、その全面支持体１１の両端部に係止部材１４が接続された構造を有している。全面支持体１１の前方には明るさを感知する光センサー１３が左右２個所設置されている。この光センサー１３は１箇所でも差し支えない。また電子サングラス１０にはバッテリー１５、電源スイッチ１６、透光レベル切り換えスイッチ１７および図柄切り換えスイッチ１８が設置されているが、図３にはその一例が示されている。バッテリーやこれらのスイッチの配置は任意に変更することができ、また透光レベル切り換えスイッチ１７および図柄切り換えスイッチ１８が設置されているが、図３にはその一例が示されている。バッテリーやこれらのスイッチの配置は任意に変更することができ、また透光レベル切り換えスイッチ１７および図柄切り換えスイッチ１８は存在しないでもよい。
バッテリー１５は、通常のアルカリ電池、ニッケル電池でもよくまた太陽電池（ソーラーバッテリー）であってもよい。透光レベル切り換えスイッチ１７は、光センサー１３により明るさを感知して、液晶パネル１２を透光する光量を制御するためのスイッチであり、通常２〜５段階程度でコントロールされる。また図柄切り換えスイッチ１８は任意に所望する図柄を選択するためのスイッチであり、液晶パネル１２の左右の透視部の図柄を自由に組み合せて選択できるものであってもよい。
【０００９】
次に、本発明の電子サングラスの液晶パネル基板（透視部）に表示される図柄パターンの例を図４〜図６に示す。図４に多数のラインが横方向に平行して配列された図柄が示されている。この図柄は通常の窓の採光に使用されているジャバラをイメージしたものである。図４に示した横のラインの幅は任意でよいが、一般には０．５〜５ｍｍ、好ましくは１〜４ｍｍの範囲であり、ラインとラインとの間隔は、０．５〜４ｍｍ、好ましくは１〜３ｍｍの範囲が適当である。ラインとラインとの間隔やラインの幅は均一である必要はなく不均一であってもよい。またラインの配列は、図４のように横型であってよいが縦型であってもよい。
図５にはうず巻き型の図柄が示されている。うず巻き型の図柄は２重丸型でもよく、さらに３重丸〜５重丸型であってもよく、また左右で異なっていてもよい。
図６にはハート型および多岐星型の異なる図柄が示されている。このように面白みのある図柄を自由に選択して表示することもできる。図４〜図６に示した図柄は単なる例に過ぎず、他に娯楽性のある面白みのある図柄であってもよい。
本発明の電子サングラスの透視部の図柄パターンは一定のものが固定して表示されていてもよいが、いくつかの種類の図柄を切り換えスイッチによって自由に選択するように設定することもできる。
本発明の電子サングラスはそれ自体を装着できる眼鏡形態型であってもよいが、通常の眼鏡に装着して使用できる形態であってもよい。
【図面の簡単な説明】
【００１０】
【図１】本発明の電子サングラスに使用される液晶パネルの断面構造を示す模式図である。
【図２】本発明の電子サングラスに使用される他の液晶パネルの断面構造を示す模式図である。
【図３】本発明の電子サングラスの一例を示す斜視図である。
【図４】本発明の液晶パネルにおける図柄パターンの一例である。
【図５】本発明の液晶パネルにおける図柄パターンの一例である。
【図６】本発明の液晶パネルにおける図柄パターンの一例である。
【符号の説明】
【００１１】
１      液晶    
２      偏光板
３      シール材
４      透明基板
５      粘着層
６      保護膜
１０    電子サングラス
１１    前面支持体
１２    液晶パネル
１３    光センサー
１４    係止部材        
１５    バッテリー
１６    電源スイッチ
１７    透光レベル切り換えスイッチ
１８    図柄切り換えスイッチ
【図１】
2009237212.tif 000003
【図２】
2009237212.tif 000004
【図３】
2009237212.tif 000005
【図４】
2009237212.tif 000006
【図６】
2009237212.tif 000007
【図５】
2009237212.tif 000008